【事件の表示】
　平成９年特許願第３０８０６５号「遊技機」拒絶査定に対する審判事件［平成１１年４月６日出願公開、特開平１１−９０００７］について、次のとおり審決する。
【結　論】
　本件審判の請求は、成り立たない。
【理　由】
　理　由
１．手続の経緯・本願発明
　本願は、平成９年９月１９日の出願であって、その請求項１ないし６に係る発明は、平成１３年５月２１日付け手続補正書及び平成１３年１０月１５日付け手続補正書で補正された明細書及び図面の記載からみて、その特許請求の範囲の請求項１ないし６に記載されたとおりの「遊技機」にあるものと認められるところ、その請求項１に係る発明（以下、「本願発明」という）は特許請求の範囲の請求項１に記載されたとおりの、
　「【請求項１】数字や絵などの図柄が変動する変動表示ゲームが開始され、前記図柄が所定の数だけ揃う事によりリーチ状態に変化する一方、前記図柄が所定の数だけ揃わずに停止した非リーチ状態に一旦なった後、同一の変動表示ゲームで、停止した前記図柄の少なくとも一つ以上を変動させる再変動状態を経て、更に変動する前記図柄を停止させて再変動後のリーチ状態に変化する遊技機において、
前記変動表示ゲームで前記図柄に加えて各種映像を同時に写し出す表示部と、
前記変動表示ゲームにおける前記図柄の表示および前記各種映像の写し出しを制御する中央制御部とを具備し、
前記中央制御部は、前記非リーチ状態となってから前記再変動後のリーチ状態に移行させる際、前記再変動後のリーチ状態に移行する特別なキャラクターを各種映像として前記表示部に登場させること、
を特徴とする遊技機。」
により特定されるものである。
２．当審の判断
２-1．引用例記載の発明
　当審において平成１３年９月２５日付けで通知した拒絶の理由に引用した、特開平９−１２２３１３号公報（以下、「引用例１」という。）、特開平９−５６８９６号公報（以下、「引用例２」という。）、特開平９−７５５２１号公報（以下、「引用例３」という。）及び特開平８−２０６３１３号公報（以下、「引用例４」という。）には、次の事項がそれぞれ記載されている。
（ａ）引用例１（特開平９−１２２３１３号公報）
（ａ-1）「 複数種類の識別情報を可変表示可能な可変表示部を複数有する可変表示装置を含み、前記複数の可変表示部の表示結果が導出表示され該表示結果が特定の識別情報の組合せとなった場合に遊技状態が遊技者に有利な状態となる遊技機であって、前記複数の可変表示部を可変開始させた後、該複数の可変表示部の表示結果を時期を異ならせて導出表示させる制御を行なうことが可能な可変表示制御手段を含み、該可変表示制御手段は、前記時期を異ならせて表示結果を導出表示した可変表示部のうち、先に表示結果を導出表示した可変表示部を再度可変表示させる再可変表示制御が可能であることを特徴とする、遊技機。」（【特許請求の範囲】の【請求項１】）、
（ａ-2）「可変表示装置としては回転ドラムを用いたものに限らず、液晶表示装置や、ＣＲＴなどを用いたものであってもよい。」（段落【００１４】、３頁右欄２〜４行）、
（ａ-3）「始動口スイッチ１１の検出信号に基づき、可変表示装置３の回転ドラム４ａ，４ｂ，４ｃ上に構成される各図柄表示部が可変開始される。・・・そして、通常は所定時間の経過後に、まず左端の回転ドラム４ａが停止し、その後右端の回転ドラム４ｃが停止、最後に中央の回転ドラム４ｂが停止する。・・・また、各図柄表示部の可変表示中に、いわゆるリーチの成立する場合がある。ここで、リーチとは、可変表示装置が複数の表示結果を導出表示する場合に、複数の表示結果の一部がまだ導出表示されていない段階で、既に導出表示されている表示結果が前記特定の識別情報の組合せとなる条件を満たしている表示状態をいう。」（段落【００１５】〜【００１６】、３頁右欄５〜２６行）、
（ａ-4）「次に図８および図１１を参照して、リーチが成立しなかった場合の可変表示動作の一例を説明する。図１１を参照して、始動玉検出器１１により始動入賞が検出され・・・左可変表示部、中可変表示部、右可変表示部において・・・図柄の一斉変動が開始される。そして、・・・左可変表示部で図柄が停止表示される。・・・可変表示状態が図８の（ａ）に示されている。すなわち、左可変表示部に「キング」の図柄が停止表示され、右可変表示部および中可変表示部は引続き可変表示中である。
・・・次に・・・右可変表示部に「クィーン」の図柄が停止表示されるとともに、左可変表示部で図柄の再可変表示制御（再変動）が開始される。つまり、左可変表示部に「キング」の図柄が停止表示された状態で右可変表示部に「クィーン」の図柄が停止表示されればリーチは不成立となる。
しかしながら、左可変表示部に停止表示されていた図柄は再変動図柄であるために、再度リーチの成立の機会を付与すべく、左可変表示部の図柄が再変動されるのである。・・・図柄の変動状況が図８（ｂ）に示されている。
・・・さらに・・・左可変表示部の図柄が停止表示され・・・この可変表示状態が図８（ｃ）に示されている。すなわち、左可変表示部に「クィーン」の図柄が停止表示されることにより、リーチが成立している。」（段落【００５７】〜【００６０】、８頁左欄３６行〜同頁右欄２８行）。
　上記記載によると、引用例１には、図柄が変動する変動表示ゲームが開始され、前記図柄が所定の数だけ揃う事によりリーチ状態に変化する一方、前記図柄が所定の数だけ揃わずに停止した非リーチ状態に一旦なった後、同一の変動表示ゲームで、停止した前記図柄の少なくとも一つ以上を変動させる再変動状態を経て、更に変動する前記図柄を停止させて再変動後のリーチ状態に変化する遊技機において、前記変動表示ゲームで前記図柄を表示する、液晶表示装置やＣＲＴで構成された可変表示装置３と、前記変動表示ゲームにおける前記図柄の表示を制御する可変表示制御手段とを具備している遊技機（以下、「引用例１の発明」という）が記載されていると認められる。
（ｂ）引用例２（特開平９−５６８９６号公報）
（ｂ-1）「【解決手段】 「リーチ！」等の文字が記された旗７１ａを持ったキャラクター７１を特別図柄表示部３３ａ〜３３ｃに重畳表示したり、あるいは「リーチ！」等の文字が記されたボード７２ａを指し示すキャラクター７２を可変表示部３３ｄに表示することで、通常リーチや確変リーチ等の所定態様を予測的に報知する。」（【要約】）
（ｂ-2）「以上、特別可変表示装置３０を含むパチンコ遊技機の遊技盤１の構成について説明してきたが、それらの遊技装置は、図２及び図３に示す遊技制御回路によって制御される。図２及び図３は、遊技制御回路をブロック構成で示す回路図であり、図示しないＭＰＵ、ＲＯＭ、ＲＡＭ、及び入出力回路を含み本発明の表示制御手段をなす基本回路４１によって制御されている。・・・一方、基本回路４１からは、以下の装置及び回路に制御信号が与えられる。即ち、ＣＲＴ回路４６を介してＣＲＴ表示器３３に表示制御信号が与えられ、」（段落【００１６】〜【００１７】、４頁右欄１２〜３２行）、
（ｂ-3）「以上のように本実施形態では、キャラクター報知によって図柄停止、リーチ、及び大当りの図柄変動を予告的に表示するようになっている。キャラクターによる予告報知の効果としては、・・・リーチ予告の場合は、リーチになることが前もって分かるのでリーチに対する注目度を向上することができる。大当り予告の場合は、大当りになることが前もって分かるので大当り期待感が高くなり興趣を向上することができる。」（段落【００３７】、９頁左欄３０〜４０行）、
　上記記載によると、引用例には、旗７１ａを持ったキャラクター７１を特別図柄表示部３３ａ〜３３ｃに基本回路４１によって重畳表示することによりリーチ状態になることを報知する技術が開示されている。
（ｃ）引用例３（特開平９−７５５２１号公報）
（ｃ-1）「しかも、リーチ状態になることの報知が、遊技域に設けられた表示手段に画像を出力させることにより行なわれるので、遊技者は視線を大きく移動させることなく、この報知動作に気付くことができる。なお、報知するために表示手段に出力される画像は、図柄の変動表示に先んじて表示手段の画面全体に大きく表示させる「リーチになる！！」という文字・・・でも良いし、変動表示の際にも報知動作を継続するために、表示手段の画面の片隅（変動表示を妨げない位置）に小さく表示される「リーチ」等の文字でも良い。またこれらのような文字ではなく、例えばハートやスペード等のマークや、点滅されたりアニメーション風にされたりすることにより図柄の変動表示と識別可能にされた動的な画像、でもよい。」（段落【００１６】）。
（ｃ-2）「次に、パチンコ機２の遊技盤裏面に設けられた制御装置３４について、図４を用いて説明する。制御装置３４は、・・・入力回路４４を介して取得した前記各検出信号に基づいて表示装置６や変動入賞装置８等を制御するための制御プログラムを実行するＣＰＵ４６と、・・・ＣＰＵ４６が表示装置６に表示させる画像の画像データを格納する画像ＲＯＭ５２と、・・・を備えている。」（【００３４】、６頁左欄３〜３２行）、
　上記記載によると、引用例には、遊技域に設けられた表示手段に、ハートやスペード等のマークや、点滅されたりアニメーション風にされた動的な画像を制御装置３４によって出力させることによりリーチ状態になることを報知する技術が開示されている。
（ｄ）引用例４（特開平８−２０６３１３号公報）
（ｄ-1）「本発明は、上述の図柄表示装置を備えたパチンコ機において、前記図柄制御手段が、各図柄表示部によってリーチ状態発生如何が示される前に、所定条件が充足されると、いずれか若しくは全ての図柄表示部の図柄を、それ以前の表示作動とは区別される特異なリーチ予告表示作動で変動させるようにする図柄制御内容を具備するものであることを特徴とするものである。」（【０００７】、２頁右欄４６行〜３頁左欄３行）、
（ｄ-2）「例６；図１０イ〜ニで示すように、当たりハズレを決定するための図柄とは異なる「吉」（図１０イ），「福」（図１０ロ）等の文字図柄からなるリーチ予告図柄ｘ、「花火」（図１０ハ），「打出の小づち」（図１０ニ）等の絵図柄からなるリーチ予告図柄ｙを表示するようにしても良い。
【００４７】この場合に表示態様としては、図１１イ，ロ，ハの態様がある。・・・
【００４９】また図１１ロは、変動中に図柄表示部Ａ，Ｂ，Ｃに瞬間的にリーチ予告図柄ｘ（ｙ）を表示するようにしたものである。
【００５０】さらには、図ハは、その変動画面上にリーチ予告図柄ｘ，ｙを上書きしたものである。この表示は、例えば、変動図柄の地肌面にリーチ予告図柄ｘ，ｙを書き込む等の手法により、変動中でありながら、淡くリーチ予告図柄ｘ，ｙを表出し得ることとなる。
【００５１】図柄表示部Ｃにリーチ予告図柄を表示しておくこともできる。この場合には、図柄表示部Ｂの変動表示を妨げず、比較的長い時間のリーチ予告図柄の表示が可能となり、「福」，「吉」，「寿」等のリーチ予告図柄ｘ，ｙが表示されたままの状態を維持しておくこともできる。
【００５２】その他の表示態様としては、図１３で示すように、図柄表示装置６の画面上で、図柄表示部Ａ，Ｂ，Ｃ以外の領域ｓを用いて、リーチ予告図柄ｘ，ｙを表示するようにしても良い。・・・
【００５４】さらには、リーチ予告図柄としては、動画を適用するようにしても良い。例えば、花火のさく裂をスポット的に表示するのではなく、絵柄の連続により、動的に表現するようにしても良い。又は、「吉」等の文字を前後に移動させたり、フラッシングを生じさせるようにしても良い。」（段落【００４６】〜【００５４】）。
　上記記載によると、引用例には、遊技域に設けられた図柄表示装置６に、花火の動画や打出の小づち等の画像を図柄制御手段によって表示させることによりリーチ状態になることを報知する技術が開示されている。
２-2．対比・判断
　本願発明と上記引用例１の発明とを対比すると、引用例１の発明の「可変表示装置３」及び「可変表示制御手段」が、本願発明の「表示部」及び「中央制御部」に対応しているので、両者は、
　数字や絵などの図柄が変動する変動表示ゲームが開始され、前記図柄が所定の数だけ揃う事によりリーチ状態に変化する一方、前記図柄が所定の数だけ揃わずに停止した非リーチ状態に一旦なった後、同一の変動表示ゲームで、停止した前記図柄の少なくとも一つ以上を変動させる再変動状態を経て、更に変動する前記図柄を停止させて再変動後のリーチ状態に変化する遊技機において、前記変動表示ゲームで前記図柄を表示する表示部と、前記変動表示ゲームにおける前記図柄の表示を制御する中央制御部とを具備している遊技機で一致し、
　本願発明では、「変動表示ゲームで前記図柄に加えて各種映像を同時に写し出す表示部と、前記変動表示ゲームにおける前記図柄の表示および前記各種映像の写し出しを制御する中央制御部とを具備し、前記中央制御部は、前記非リーチ状態となってから前記再変動後のリーチ状態に移行させる際、前記再変動後のリーチ状態に移行する特別なキャラクターを各種映像として前記表示部に登場させる」のに対し、引用例１の発明では、変動表示ゲームで前記図柄を表示する表示部（可変表示装置３）と、前記変動表示ゲームにおける前記図柄の表示の写し出しを制御する中央制御部（可変表示制御手段）とを具備しているが、前記中央制御部は、前記非リーチ状態となってから前記再変動後のリーチ状態に移行させる際、前記再変動後のリーチ状態に移行する特別なキャラクターを各種映像として前記表示部に登場させるように構成されていない点
で相違している。
　上記相違点について検討する。
　パチンコ機等の遊技機において、変動表示ゲームで図柄に加えて各種映像を同時に写し出す表示部と、前記変動表示ゲームにおける前記図柄の表示および前記各種映像の写し出しを制御する中央制御部とを具備し、中央制御部によって、リーチ状態に移行させる際、リーチ状態に移行する特別なキャラクターを各種映像として前記表示部に登場させるように構成することは、周知な技術である（例えば、上記引用例２ないし４参照）、しかも、引用例１の発明の可変表示装置は、液晶表示装置やＣＲＴで構成されており、図柄に加えて各種映像を同時に写し出すことができるものである。
　そして、上記引用例１の発明は、同一の変動ゲームにおいて、（１）図柄変動、（２）非リーチ状態、（３）図柄再変動、（４）リーチ状態、と変化するものであり、リーチ状態になる前、すなわち、前記（３）の状態において、可変表示装置に、図柄に加えて各種映像を同時に写し出すことによりリーチを予告をするよう構成することは、そのように構成することを阻害する要件があるとはいえず、当業者が容易に想到できることである。
　そして、本願発明の奏する効果は、引用例１に記載された発明及び周知技術から予測できる程度のことであって、格別顕著なものではない。
　
３．むすび
　したがって、本願発明は、引用例１に記載された発明に基いて当業者が容易に発明をすることができたものと認められるから、特許法第２９条第２項の規定により特許を受けることができない。
　よって、結論のとおり審決する。